(57)【要約】      （修正有）【課題】プロペラ飛行玩具の提供。【解決手段】気球１０と、複数の翼部２０と、軸座３０からなり、該複数の翼部が等角度を以て中間の軸座の周囲に配設され、並びに翼部の挿入端２４に直接軸座周囲に設けられた各エアノズルが挿入され、該軸座の底部がブローパイプ３１を介して気球に接続され、該軸座の上端にホイッスルが設けられている。充気した気球が軸座と接合される時、気球の気圧により翼部を推進回転させ、玩具を飛行させ、並びにホイッスルを鳴らす。該翼部は凸部を設けた上片部に平面の底部を接着してなり、凸部の形成する断面が半円形の空気チャネルを形成し、該軸座周囲の各エアノズルは、軸座と一体に形成され、各エアノズルと軸座の間に同じ傾斜角度が形成され、且つエアノズルの断面が半円形とされて直接翼部を挿入でき、各翼部に同じ角度の傾斜面が形成されている。【選択図】図１
0003101068.tif 000002
【実用新案登録請求の範囲】
【請求項１】
気球と、複数の翼部と、軸座からなり、該複数の翼部が等角度を以て中間の軸座の周囲に配設され、並びに翼部の挿入端に軸座周囲に直接設けられた各エアノズルが挿入され、該軸座の底部がブローパイプを介して気球に接続され、該軸座の上端にホイッスルが設けられ、充気した気球が軸座と接合される時、気球の気圧により翼部を推進回転させ、玩具を飛行させ、並びにホイッスルを鳴らすよう形成されたプロペラ飛行玩具において、
前記翼部は凸部を設けた上片部に平面の底部を接着してなり、凸部の形成する断面が半円形の空気チャネルを形成し、該軸座周囲の各エアノズルは、軸座と一体に形成され、各エアノズルと軸座の間に同じ傾斜角度が形成され、且つエアノズルの断面が半円形とされて直接翼部に挿入でき、各翼部に同じ角度の傾斜面が形成されたことを特徴とする、プロペラ飛行玩具。
【考案の詳細な説明】
【技術分野】
【０００１】
本考案は一種のプロペラ飛行玩具に係り、特に構造を改良して部品数を減らし、遊ぶ楽しみを増し製造コストを減らしたプロペラ飛行玩具に関する。
【背景技術】
【０００２】
周知のプロペラ飛行玩具は、図４に示されるように、気球４０、複数の翼部５０、及び中間の軸座６０を組み合わせてなる。複数の翼部５０は等角度を以て軸座６０を囲むように配設され、並びにそれぞれ図５に示されるコネクタ６４で軸座６０周囲に設けられたエアノズル６３に接続され、軸座６０の底部にはブローパイプ６１が設けられて該ブローパイプ６１により気球４０に接続され、該軸座６０の上端にホイッスル６２が設けられている。充気した気球４０がブローパイプ６１で軸座６０と接合される時、気球４０の気圧が翼部５０に送られて翼部５０を回転させることによりプロペラ飛行玩具が飛翔し、並びにホイッスル６２が音を発生する。
【０００３】
上述の周知のプロペラ飛行玩具は、全体の部品と構造上に多くの欠点があり、実用的でない。例えば、上述の翼部５０は上片部５１と同形状の底片部５２が接着されてなり、図５に示されるように、上片部５１と底片部５２の表面にそれぞれ凸部５３と凹部５４が設けられて接着後に挿入端５５と出口端５６の間の排気チャネルが形成されて、翼部５０の回転動力を提供する。ゆえにこのような翼部５０の構造は、真空成形時に上片部５１と底片部５２を個別に加工しなければならず、このために加工コストがかかり、且つ凸部５３と凹部５４結合後に、翼部表面に円形排気チャネルが形成されるが、これは翼部５０の厚さを増し、翼部５０回転時に比較的大きな抵抗力を形成する。このほか、翼部５０の表面の円形排気チャネルは外力の接触、押圧により変形しやすく、そのために排気チャネルの内径が改変して各翼部５０の排気が不均一となり、玩具全体の遊戯効果に影響を与えた。
【０００４】
さらに図５、６に示されるように、上述の各翼部５０を軸座６０のエアノズル６３に接合する時、コネクタ６４を使用しなければならず、このコネクタ６４の一端に位置決め溝６５が設けられてエアノズル６３の上縁の凸柱６６に対応し、位置決め溝６５に凸柱６６が挿入されることでこのコネクタ６４がエアノズル６３の外部に位置決めされ、こうして図７に示される正確な位置合わせと正確な挿嵌組合せが達成される。コネクタ６４のもう一端は、翼部５０の挿入端５５と斜めの角度を以て挿嵌され、並びに接合面に接着剤が塗布されて翼部５０の傾斜角度が位置決めされる。ゆえに、このようなコネクタ６４を使用する設計は、玩具全体の部品数量を増し、並びに製造上、コネクタ６４と翼部５０の挿入端５５の間にあって、翼部５０の傾斜角度を正確に位置合わせできず、各翼部５０の傾斜角度の違いにより翼部５０の回転運動時の浮上効果に影響が生じた。また、その挿入部分は接着剤加工を必要とし、全体構造上の複雑性と製造加工時の面倒が増した。
【考案の開示】
【考案が解決しようとする課題】
【０００５】
本考案は、部品数を減らして構造を簡易化したプロペラ飛行玩具を提供し、上述の従来の技術の欠点を解決することを目的としている。
【課題を解決するための手段】
【０００６】
請求項１の考案は、気球と、複数の翼部と、軸座からなり、該複数の翼部が等角度を以て中間の軸座の周囲に配設され、並びに翼部の挿入端に軸座周囲に直接設けられた各エアノズルが挿入され、該軸座の底部がブローパイプを介して気球に接続され、該軸座の上端にホイッスルが設けられ、充気した気球が軸座と接合される時、気球の気圧により翼部を推進回転させ、玩具を飛行させ、並びにホイッスルを鳴らすよう形成されたプロペラ飛行玩具において、
前記翼部は凸部を設けた上片部に平面の底部を接着してなり、凸部の形成する断面が半円形の空気チャネルを形成し、該軸座周囲の各エアノズルは、軸座と一体に形成され、各エアノズルと軸座の間に同じ傾斜角度が形成され、且つエアノズルの断面が半円形とされて直接翼部に挿入でき、各翼部に同じ角度の傾斜面が形成されたことを特徴とする、プロペラ飛行玩具としている。
【考案の効果】
【０００７】
本考案のプロペラ飛行玩具は、構造を改良して部品数を減らし、遊ぶ楽しみを増し製造コストを減らすことができる。
【考案を実施するための最良の形態】
【０００８】
本考案のプロペラ飛行玩具は、気球と、複数の翼部と、軸座からなり、該複数の翼部が等角度を以て中間の軸座の周囲に配設され、並びに翼部の挿入端に直接軸座周囲に設けられた各エアノズルが挿入され、該軸座の底部がブローパイプを介して気球に接続され、該軸座の上端にホイッスルが設けられている。充気した気球が軸座と接合される時、気球の気圧により翼部を推進回転させ、玩具を飛行させ、並びにホイッスルを鳴らす。該翼部は凸部を設けた上片部に平面の底部を接着してなり、凸部の形成する断面が半円形の空気チャネルを形成し、該軸座周囲の各エアノズルは、軸座と一体に形成され、各エアノズルと軸座の間に同じ傾斜角度が形成され、且つエアノズルの断面が半円形とされて直接翼部を挿入でき、各翼部に同じ角度の傾斜面が形成されている。
【０００９】
本考案のプロペラ飛行玩具の翼部は、凸部を設けた上片部と平面の底片部が接着されてなり、これにより排気チャネルが半円形とされ、出気量を減らして玩具の浮上時間を増加させることができ、また、翼部の構造及び真空成形の加工手順を簡易化することができる。
【００１０】
このほか、本考案軸座の周囲のエアノズルは直接同じ傾斜に成形され、且つエアノズルの断面が半円形とされて直接翼部に挿入され、並びに各翼部がいずれも正確に同じ傾斜角度位置を保持させられ、組立時に余分のコネクタ部品と接着剤加工を必要とせず、一方で部品を簡易化し、もう一方で組立の便利性を増している。
【実施例１】
【００１１】
本考案のプロペラ飛行玩具は図１に示されるように、気球１０、複数の翼部２０、中間の軸座３０からなる。
【００１２】
図１及び図２に示されるように、本考案のプロペラ飛行玩具において、該複数の翼部２０は、その挿入端２４で直接軸座３０周囲に設けられた各エアノズル３３に嵌合され、各翼部２０はいずれも等角度で中間の軸座３０周囲に配設される。該軸座３０の底部はブローパイプ３１で気球１０に接合され、気球１０の気圧により翼部２０が駆動されて回転し、こうして玩具が浮上し、並びにホイッスル３２が音を発生する。
【００１３】
図２に示されるように、上述の翼部２０は、凸部２３を具えた上片部２１と平面の底片部２２を接着してなり、二片接合後に、該凸部２３により翼部２０表面の、挿入端２４から出口端２５に到る空気チャネルが形成され、且つ該空気チャネルの断面が半円形とされる。
【００１４】
また、図２及び図３に示されるように、上述の軸座３０の周囲の各エアノズル３３は、軸座３０と一体成形され、各エアノズル３３と軸座３０の間に同じ傾斜角度が形成され、且つ各エアノズル３３の断面は半円形とされ、同じ半円形を呈する翼部２０挿入端２４が挿入され、挿入後の各翼部２０が同じ傾斜角度を形成する。
【００１５】
本考案の改良により、翼部と同数のコネクタ部品が省略され、また、エアノズル３３の外表面の位置決め用の凸柱の増設が不要となり、半円形のエアノズル３３に半円形の翼部挿入端２４が組み合わされることで、組み付けられた各翼部２０が正確に統一された傾斜度で位置決めされる。
【００１６】
このほか、翼部２０は凸部２３を具えた上片部２１と平面の底片部２２を接着してなり、接着加工時に凹凸の位置合わせの問題を考慮する必要がなく、一次真空成形加工が減少される。このような改良設計により、挿入端２４から出口端２５間の排気チャネルはいずれも半円形断面とされて、出気量を減らして玩具の浮上時間を増加し、挿入端２４に別にコネクタを設ける必要がなく、またコネクタの接着加工が不要で、大幅に翼部の構造及び各種の複雑な加工手順を簡易化することができる。
【００１７】
構造設計上、本考案は簡易化の目的を達成し、また実際の使用上、本考案の翼部とブローパイプ間の組立は便利で速やかに行なえ、翼部組み付け後の傾斜角度は正確で、浮上力を増加し、大幅に遊ぶ楽しみを増すことができる。
【００１８】
以上の実施例は本考案の実施範囲を限定するものではなく、本考案に基づきなしうる細部の修飾或いは改変は、いずれも本考案の請求範囲に属するものとする。
【図面の簡単な説明】
【００１９】
【図１】本考案のプロペラ飛行玩具の全体外観図である。
【図２】本考案のプロペラ飛行玩具の構造分解拡大図であり、図中には単一の翼部アセンブリが表示されている。
【図３】本考案のプロペラ飛行玩具の軸座拡大図である。
【図４】周知のプロペラ飛行玩具の斜視図である。
【図５】周知のプロペラ飛行玩具の構造分解拡大図であり、図中には単一の翼部アセンブリが表示されている。
【図６】周知のプロペラ飛行玩具の局部拡大図であり、軸座、コネクタ及び翼部間の連接関係を示している。
【図７】周知のプロペラ飛行玩具の局部拡大図であり、軸座、コネクタ及び翼部間が既に連接された状態を示す。
【符号の説明】
【００２０】
１０  気球
２０  翼部
２１  上片部
２２  底片部
２３  凸部
２４  挿入端
２５  出口端
３０  軸座
３１  ブローパイプ
３２  ホイッスル
３３  エアノズル
４０  気球
５０  翼部
５１  上片部
５２  底片部
５３  凸部
５４  凹部
５５  挿入端
５６  出口端
６０  軸座
６１  ブローパイプ
６２  ホイッスル
６３  エアノズル
６４  コネクタ
６５  位置決め溝
６６  凸柱
【図１】
0003101068.tif 000003
【図２】
0003101068.tif 000004
【図３】
0003101068.tif 000005
【図４】
0003101068.tif 000006
【図５】
0003101068.tif 000007
【図６】
0003101068.tif 000008
【図７】
0003101068.tif 000009